(57)【要約】【課題】補修工事などの小規模な打設作業に好適なコンクリートの現場練り製造ユニットを提供する。【解決手段】ミキサー２０、メインホッパー３０、サブホッパー３１、ベルトコンベア４０、スクリューフィーダ５０、給水装置６０、および制御装置７０が、トラックの荷台に積載して運搬かつ乗り降ろし可能なユニット台１０に一体に組み込まれている。ベルトコンベア４０およびスクリューフィーダ５０は、ユニット台１０の短辺側に配置されたメインホッパー３０およびサブホッパー３１の各々の下方から、ユニット台１０の他方の短辺側に配置されたミキサー２０の上部に向かって略平行して延びるように設置されている。【選択図】図４
2019188825.tif 000002
【特許請求の範囲】
【請求項１】
トラックの荷台に積載して運搬かつ乗り降ろし可能なユニット台の上に複数の関連装置が一体に組み込まれているコンクリートの現場練り製造ユニットであって、
前記関連装置は、
ミキサーと、
各々がコンクリート材料を受け入れるメインホッパー及びサブホッパーと、
前記メインホッパーが受け入れた前記コンクリート材料を搬送して前記ミキサーに投入するベルトコンベアと、
前記サブホッパーが受け入れた前記コンクリート材料を搬送して前記ミキサーに投入するスクリューフィーダと、
前記ミキサーに水を供給する給水装置と、
前記ミキサー、前記ベルトコンベア、前記スクリューフィーダ、および前記給水装置を制御する制御装置と、
を含み、
前記ユニット台は、上方から見たときに一辺が長い形状を有し、トラックの荷台に積載して運搬可能に構成されており、
前記ミキサー、前記メインホッパー、前記サブホッパー、前記ベルトコンベア、前記スクリューフィーダ、前記給水装置、および前記制御装置は、前記ユニット台に一体に組み込まれており、
前記ミキサーは、前記ユニット台の一方の短辺側の中央部に配置されるとともに、前記メインホッパーおよび前記サブホッパーの各々は、前記ユニット台の他方の短辺の略全域にわたって横並びに配置されており、
前記ベルトコンベアおよび前記スクリューフィーダは、前記メインホッパーおよび前記サブホッパーの各々の下方から、前記ミキサーの上部に向かって略平行して延びるように設置されている現場練り製造ユニット。
【請求項２】
請求項１に記載の現場練り製造ユニットにおいて、
前記ミキサーは、パン型のミキサーであり、
有底円筒状の捏練容器と、
前記捏練容器に連なる駆動部と、
前記捏練容器の中心に突出した前記駆動部の回転軸に取り付けられて回転する撹拌羽根と、
を有している現場練り製造ユニット。
【請求項３】
請求項１又は請求項２に記載の現場練り製造ユニットにおいて、
前記ユニット台が、１．５ｍ以下の短辺と３ｍ以下の長辺とで構成された矩形の床面を有し、当該床面の上に収まるように前記関連装置が設置されていて、
総重量が２０００ｋｇ以下に設定されている現場練り製造ユニット。
【発明の詳細な説明】
【技術分野】
【０００１】
本発明は、工事現場で打設作業（コンクリートを型枠に流し込む作業）を行う際に、その工事現場で、セメントや骨材、水などのコンクリート材料を練り混ぜてコンクリートを製造することができる現場練りユニットに関し、特に、既設の構造物の補修工事や改修工事などに好適な現場練り製造ユニットに関する。
【背景技術】
【０００２】
現在、多くの工事では、レディミクストコンクリート（いわゆる生コンクリート：生コン）が使用されている。生コンは、整備された工場で、一定の規格に基づいて大量に製造されるため、安定した品質のコンクリートが得られ、その品質も出荷時に保証されている。
【０００３】
生コンは、時間の経過によってその品質が変化するため、規格では、生コンの運搬時間は一定の時間内に制限されている。従って、生コンを使用して高品質なコンクリートを安定して得るためには、製造から運搬、打設に至るまでの行程を限られた時間で行わなければならない不利がある。
【０００４】
その点、コンクリート材料と水とを工事現場で練り混ぜる、現場練りは、運搬時間の制約を受けない利点がある。
【０００５】
例えば、特許文献１には、所定量袋詰めしたセメントや砂、砂利、水等のコンクリート材料を、ミキサー車とは別にトラックで建設現場に運搬し、その建設現場で、運搬した各コンクリート材料をミキサー車で練り込むことにより、コンクリートを製造する方法が開示されている。
【０００６】
各コンクリート材料を計量して所定の配合で混合することができる、トラック一体型の計量装置も提案されている（特許文献２）。
【０００７】
そこでの計量装置は、セメント用の計量ホッパ、砂利用の計量ホッパ、砂用の計量ホッパ、ベルトコンベアなどで構成されていて、トラックの荷台部分に一体に組み付けられている。各コンクリート材料は、計量ホッパで計量された後、ベルトコンベアで順次移送されてコンテナバックに収納される。
【０００８】
そして、そのコンテナバックを建設現場に運搬し、計量した水とともに、コンテナバックに収納した各コンクリート材料をミキサーに投入して練り込むことにより、コンクリートを製造している。
【先行技術文献】
【特許文献】
【０００９】
【特許文献１】特開２００６−１２３２８５号公報
【特許文献２】特開２０１４−１５１５７７号公報
【発明の概要】
【発明が解決しようとする課題】
【００１０】
オフィスビル等、街中にある既設の構造物の補修工事や改修工事などでは、作業時間が夜間等に制限される場合が多いうえに、ミキサー車の乗り入れ自体ができない現場もある。しかも、屋内や屋上等、生コンの使用が困難な現場が多いうえに、新設工事と比べると必要なコンクリート量が少ないため、現場練りがよく行われている。
【００１１】
そのような現場では、作業者が手作業で各コンクリート材料及び水を計量し、小型のミキサーを用いて練り混ぜる作業が繰り返し行われている場合が多い。そのため、作業者の作業負担が大きいうえに、コンクリートの品質にばらつきが生じ易い。
【００１２】
しかも、補修工事等の場合、新設工事と異なり、既設の構造物に合わせて使用されるコンクリート材料の種類や加水量を調整する必要があるため、製造条件の管理が煩雑で、計量ミス等が発生するリスクが高いという難点もある。
【００１３】
そこで本発明の目的は、補修工事などの小規模な打設作業に好適なコンクリートの現場練り製造ユニットを提供することにある。
【課題を解決するための手段】
【００１４】
本発明に係るコンクリートの現場練り製造ユニットでは、トラックの荷台に積載して運搬かつ乗り降ろし可能なユニット台の上に複数の関連装置が一体に組み込まれている。
【００１５】
前記関連装置は、各々がコンクリート材料を受け入れるメインホッパー及びサブホッパーと、前記メインホッパーが受け入れた前記コンクリート材料を搬送して前記ミキサーに投入するベルトコンベアと、前記サブホッパーが受け入れた前記コンクリート材料を搬送して前記ミキサーに投入するスクリューフィーダと、前記ミキサーに水を供給する給水装置と、前記ミキサー、前記ベルトコンベア、前記スクリューフィーダ、および前記給水装置を制御する制御装置と、を含む。
【００１６】
前記ユニット台は、上方から見たときに一辺が長い形状を有し、トラックの荷台に積載して運搬可能に構成されている。前記ミキサー、前記メインホッパー、前記サブホッパー、前記ベルトコンベア、前記スクリューフィーダ、前記給水装置、および前記制御装置は、前記ユニット台に一体に組み込まれている。
【００１７】
前記ミキサーは、前記ユニット台の一方の短辺側の中央部に配置されるとともに、前記メインホッパーおよび前記サブホッパーの各々は、前記ユニット台の他方の短辺の略全域にわたって横並びに配置されている。そして、前記ベルトコンベアおよび前記スクリューフィーダは、前記メインホッパーおよび前記サブホッパーの各々の下方から、前記ミキサーの上部に向かって略平行して延びるように設置されている。
【００１８】
従って、この現場練り製造ユニットによれば、ミキサーなどのコンクリートを製造する関連装置が、ユニット台の上に一体に組み込まれているので、現場練り製造ユニットを工事現場に運搬して設置するだけで、簡単に現場練りが行える。
【００１９】
しかも、現場練り製造ユニットには、ミキサーが設置されていて、そのミキサーにコンクリート材料を計量して投入する手段として、ベルトコンベアとスクリューフィーダとが併設されている。
【００２０】
従って、粒度の大きい砕石等はベルトコンベアを用い、粒度の細かい材料はスクリューフィーダを用いてミキサーに投入することができる。
【００２１】
前記ミキサーは、パン型のミキサーが好ましい。すなわち、有底円筒状の捏練容器と、前記捏練容器に連なる駆動部と、前記捏練容器の中心に突出した前記駆動部の回転軸に取り付けられて回転する撹拌羽根と、を有している、としてもよい。
【００２２】
また例えば、前記ユニット台は、１．５ｍ以下の短辺と３ｍ以下の長辺とで構成された矩形の床面を有し、当該床面の上に収まるように前記関連装置が設置されていて、総重量が２０００ｋｇ以下に設定されているようにしておくとよい。
【００２３】
そうすれば、小型トラックの荷台に積載して簡単に運搬でき、乗り降ろしも容易にできるようになるため、補修工事などの小規模な打設作業に好適である。
【発明の効果】
【００２４】
本発明の現場練り製造ユニットによれば、補修工事などの小規模な工事現場であっても、簡単に現場練りが行え、高品質なコンクリートが製造できるうえに、品質保証も行える。
【図面の簡単な説明】
【００２５】
【図１】現場練りコンクリートの製造方法の主な工程を示すフローチャートである。
【図２】材料作製工程における各工程を示すフローチャートである。
【図３】（ａ）、（ｂ）は、コンクリート材料の袋詰め形態を示す概略図である。
【図４】現場練り製造ユニットを示す概略側面図である。
【図５】現場練り製造ユニットを示す概略平面図である。
【図６】現場練り製造ユニットの一形態を示す概略側面図である。
【図７】制御装置の主な構成を示すブロック図である。
【発明を実施するための形態】
【００２６】
以下、本発明の実施形態を図面に基づいて詳細に説明する。ただし、以下の説明は、本質的に例示に過ぎず、本発明、その適用物あるいはその用途を制限するものではない。
【００２７】
＜現場練りコンクリートの製造方法＞
本実施形態で示す製造方法は、主に、既設の構造物の補修工事、改修工事、補強工事など、作業時間や作業スペースが制限される工事現場向けに確立されたものであり、コンクリート材料と水とを工事現場で練り混ぜて製造する、いわゆる現場練りコンクリートの製造方法である。本製造方法では、高い品質を確保しながら安定して現場練りコンクリート（単にコンクリートともいう）が製造でき、その品質も保証できるように工夫されている。
【００２８】
図１に、その主な工程を表したフローチャートを示す。本製造方法は、材料作製工程Ｓ１、製造ユニット設置工程Ｓ２、材料運搬工程Ｓ３、現場練り工程Ｓ４、製造条件記憶工程Ｓ５などで構成されている。
【００２９】
（材料作製工程）
材料作製工程Ｓ１は、準備段階の工程である。材料作製工程Ｓ１では、コンクリートの作製に用いるコンクリート材料が乾燥状態で袋詰めされる。
【００３０】
図２に、材料作製工程Ｓ１の詳細を示す。ここでいうコンクリート材料は、コンクリートの製造に用いられる水以外の固体系の材料をいい、具体的には、セメントや混和材、砂（細骨材）、砕石（粗骨材）などである。混和材は、例えば、フライアッシュやシリカヒューム、高炉スラグ粉末などである。コンクリート材料の素材自体は、この業界において一般的なものであり、工事現場の状況に応じて適宜選択できる。
【００３１】
本製造方法では、コンクリートの高い品質を安定して確保し、そして、その品質を保証できるようにするために、使用するコンクリート材料の水分は、徹底的に排除される。
【００３２】
一般に使用されているセメントや混和材の水分量は、給水量に対して誤差レベルであるため、セメントや混和材は、通常そのまま使用できる。
【００３３】
ところが、砂や砕石などの骨材は、表面は乾燥していても内部に水分を含んでいる状態（表乾状態）が一般的であり、その量も少なくない。そのため、そのまま使用した場合、その水分量のばらつきによってコンクリートの品質が不安定になるおそれがある。特に、少量のコンクリートをバッチ式で製造する場合にその影響を受け易い。
【００３４】
そこで、この製造方法で使用する骨材については、ロータリーキルンなどを用いることにより、絶乾状態（１００℃以上の温度で蒸発する水が存在しなくなるまで乾燥した状態）になるまで乾燥させる（骨材乾燥工程Ｓ６）。
【００３５】
絶乾状態に乾燥した骨材は、それぞれ、所定の粒度に分級し、一定量に計量した後、吸水を防ぐために、防湿性に優れた包材で包装する。
【００３６】
包装の形態は仕様に応じて適宜選択できる。例えば、コンクリート材料ごとに袋詰めしてもよいし、複数のコンクリート材料を混合して袋詰めしてもよい。コンクリート材料の全てを混合して袋詰めしてもよい。
【００３７】
特に、セメント、混和材、及び砂の各々を所定の配合比率で混合したものを一定量ずつ計量して袋詰めすることにより、モルタルパックを作製し、それとともに、砕石は単独で計量して袋詰めすることにより、粗骨材パックを作製するのが好ましい。
【００３８】
粒子の細かい複数の材料を予め配合しておけば、工事現場での配合負担が軽減されるので品質の向上が図れるし、後述するように、コンパクトな製造ユニット１を用いて、簡単な操作で高精度な配合が実現できる。
【００３９】
袋詰めの形態は、図３の（ａ）に示すように、数１０Ｋｇの一般的な袋詰めが好ましいが、図３の（ｂ）に示すような、１０００ｋｇレベルのコンテナバッグであってもよい。本実施形態では、図３の（ａ）に示すような、モルタルパックＭＰ及び粗骨材パックＫＰを例にして説明する。
【００４０】
本実施形態の製造方法では、モルタルパックＭＰ及び粗骨材パックＫＰの各々に対し、記号やバーコード等の識別データＳＤが付与される（識別データ付与工程Ｓ７）。
【００４１】
材料作製工程Ｓ１では、モルタルパックＭＰ及び粗骨材パックＫＰの各々に、作製された日付データや、使用されたコンクリート材料のロット、計量データなど、コンクリートの品質に関連するデータ（材料データ）が取得される。
【００４２】
所定のコンピュータシステム１００（外部端末の一例、図４参照）に、製造条件データベースが実装されていて、取得された材料データは、その製造条件データベースに、識別データＳＤと関連付けされた状態で記憶されるようになっている。
【００４３】
本実施形態では、その識別データＳＤが、モルタルパックＭＰ及び粗骨材パックＫＰの各々の外表面に、印字やシールすることによって付与されている。こうして作製されるモルタルパックＭＰ及び粗骨材パックＫＰは、使用機会がくるまで倉庫などに保管される。
【００４４】
（製造ユニット設置工程）
製造ユニット設置工程Ｓ２は、準備段階の工程である。製造ユニット設置工程Ｓ２では、専用の現場練り製造ユニットが使用される。
【００４５】
現場練り製造ユニットは、運搬が容易で狭小な工事現場でも設置でき、簡単な操作で高品質なコンクリートを安定して製造できるように工夫されている。次に、その現場練り製造ユニット１の詳細について説明する。
【００４６】
＜現場練り製造ユニット＞
図４及び図５に、現場練り製造ユニットの一例を示す（単に製造ユニット１ともいう）。この製造ユニット１は、一回のコンクリート製造量が５０〜２００Ｌ程度の、少量のバッチ式製造装置であり、１つのコンパクトなユニット台１０の上に、現場練りに必要な複数の関連装置を一体に組み込んで構成されている。
【００４７】
具体的には、ユニット台１０は、矩形の床面１１、支持枠１２などで構成されている。床面１１の短辺の長さＷは１．５ｍ以下、長辺Ｌの長さは３ｍ以下に設定されている。支持枠１２は、床面１１の縁に沿って設置された下枠、下枠の上方に対向して配置された矩形の上枠、これら下枠及び上枠との間に架設された複数の支柱枠などで構成されている。
【００４８】
関連装置は、ミキサー２０、メインホッパー３０、サブホッパー３１、ベルトコンベア４０、スクリューフィーダ５０、給水装置６０、制御装置７０などである。
【００４９】
これら関連装置は、床面１１の上に収まって床面１１の外側にはみ出さないように、ユニット台１０に集約して設置されており、床面１１からの高さＨも２ｍを超えないように設置されている。そして、製造ユニット１の総重量は、２０００ｋｇ以下となるように設定されている。
【００５０】
その結果、製造ユニット１は、小型トラックの荷台に積載して簡単に運搬でき、乗り降ろしも容易にできるようになっている。
【００５１】
ミキサー２０は、いわゆるパン型のミキサーであり、捏練部２１や、その下部に連なる駆動部２２などで構成されている。捏練部２１は、底の浅い有底円筒状の捏練容器２３と、捏練容器２３の上部を覆う上蓋２４と、捏練容器２３の内部に設置された撹拌羽根２５と、開閉可能な払出口２６とを有している。駆動部２２の内部にはモータ２７が設置されていて、捏練容器２３の内部に突出したモータ２７の回転軸に撹拌羽根２５が取り付けられている。
【００５２】
ミキサー２０には、集塵装置２８が付設されている。集塵装置２８は、練り込み時に捏練容器２３の内部で発生する粉塵を捕捉して、粉塵が外部に拡散するのを抑制する。
【００５３】
ミキサー２０は、ユニット台１０の一方の短辺側に配置されており、ロードセル８０を介してユニット台１０に支持されている。ロードセル８０は、荷重を電気信号に変換するセンサであり、ロードセル８０により、ミキサー２０の重量変化が計測できるようになっている。
【００５４】
メインホッパー３０及びサブホッパー３１の各々は、コンクリート材料を受け入れる大きな投入口３３を上部に有し、下部に小さな排出口３４を有する箱形容器であり、ユニット台１０の他方の短辺側に並んで設置されている。本実施形態では、メインホッパー３０とサブホッパー３１とは、同形同寸法に形成されており、双方ともに、高さ方向の中間部分で分割可能に構成されている。
【００５５】
具体的には、メインホッパー３０及びサブホッパー３１の各々は、ユニット台１０に固定された固定下部３５と、固定下部３５の上側に着脱可能に装着された着脱上部３６とで構成されている。着脱上部３６を着脱することで、大きな収容量が確保されるコンテナバック仕様と、図６に示すような、容易に手投入ができる小袋仕様とに変更できる。
【００５６】
ベルトコンベア４０は、メインホッパー３０が受け入れたコンクリート材料を搬送してミキサー２０に投入するように、メインホッパー３０とミキサー２０との間に設置されている。
【００５７】
具体的には、メインホッパー３０の排出口３４の下方に、ベルトコンベア４０の導入側の端部が設置され、ミキサー２０の上部にベルトコンベア４０の導出側の端部が設置されている。ベルトコンベア４０の中間部分は、導入側の端部から導出側の端部に向かって上り傾斜している。その導出側の端部は、捏練容器２３の内部に連通した導入ダクト４３の内部に差し込まれている。
【００５８】
スクリューフィーダ５０は、サブホッパー３１が受け入れたコンクリート材料を搬送してミキサー２０に投入するように、サブホッパー３１とミキサー２０との間に設置されている。
【００５９】
具体的には、サブホッパー３１の排出口３４の下方に、スクリューフィーダ５０の導入側の端部が設置され、ミキサー２０の上部にスクリューフィーダ５０の導出側の端部が設置されている。スクリューフィーダ５０は、導入側の端部から導出側の端部に向かって上り傾斜している。その導出側の端部は、捏練容器２３の内部に連通した導入ダクト５３に接続されている。
【００６０】
給水装置６０は、給水配管６１や電磁開閉弁６２、流量計６３、緩衝槽６４などで構成されている。給水配管６１の下流側の端部は、捏練容器２３の内部に入り込んでいる。給水配管６１の上流側の端部は、図示しないが、貯水タンク、ポンプなどで構成された給水装置６０や、工業用水等の配管などの給水源に接続される。
【００６１】
ミキサー２０の近傍には、周辺の温度を計測するために温度センサ９０が配置されている。
【００６２】
制御装置７０は、コンピュータや、コンピュータに実装された各種ソフトウエアなどで構成されており、コンクリートを機械的に製造する制御を実行する。また、制御装置７０には、製造されるコンクリートの品質を保証するために、バッチ毎に製造条件を記憶する機能やコンピュータシステム１００との間でデータ通信を行う機能も付与されている。
【００６３】
更に制御装置７０には、製造条件等の表示が可能なモニターや、指示データや識別データＳＤの入力が可能な入力装置、製造条件等の印刷が可能な出力装置なども備えられている。
【００６４】
図７に、制御装置７０の主な構成を示す。制御装置７０には、製造制御部７１、製造条件記憶部７２、計量制御部７３、データ通信部７４などが備えられている。この製造ユニット１の計量制御部７３には、給水量補正部７５が備えられている。
【００６５】
製造制御部７１は、ベルトコンベア４０、スクリューフィーダ５０、ミキサー２０、及び電磁開閉弁６２を制御し、これら作動タイミングや給水タイミング、ミキサー２０の作動時間など、製造に関連する制御を実行する。
【００６６】
製造条件記憶部７２は、製造処理ごとに、ベルトコンベア４０の作動に伴って変化するロードセル８０の計測値、スクリューフィーダ５０の作動に伴って変化するロードセル８０の計測値、及び給水量の各々を記憶する。この製造ユニット１の製造条件記憶部７２では、そのロードセル８０の計測値及び給水量は、識別データＳＤと関連付けて記憶できるようになっている。
【００６７】
計量制御部７３は、コンクリート材料及び水の計量に関する制御を実行する。具体的には、指示データに基づいて、ミキサー２０に対するコンクリート材料の投入量及び給水量を制御する。指示データは、配合割合等の製造条件を含む、コンクリートの製造を制御装置７０に指示するデータである。
【００６８】
この製造ユニット１では特に、製造処理ごとに入力される識別データＳＤに基づいて、ミキサー２０に対するコンクリート材料の投入量及び給水量が制御できるようになっている。
【００６９】
データ通信部７４は、コンピュータシステム１００との間でデータの送受信を行う機能を有している。給水量補正部７５は、温度センサ９０の計測値に基づいて給水量を補正する制御を実行する。これら各制御の詳細については後述する。
【００７０】
製造ユニット設置工程Ｓ２では、このような構造の製造ユニット１が工事現場に設置される。
【００７１】
（材料運搬工程）
材料運搬工程Ｓ３は、袋詰めされたコンクリート材料を工事現場に運搬する工程である。材料運搬工程Ｓ３は製造ユニット設置工程Ｓ２の後に限らず、その前又は同時であってもよい。要は、工事期間中に工事で必要とされる量のコンクリート材料が工事現場に運搬されればよい。
【００７２】
（現場練り工程）
現場練り工程Ｓ４は、製造ユニット１を操作して機械的にコンクリートを作製する工程である。具体的には、作業者が製造ユニット１を操作して、一定量のコンクリート材料及び水をミキサー２０に導入して一定時間練り混ぜることにより、コンクリートを製造する。この製造パターンは複数あるため、その一例を次に示す。
【００７３】
作業者は、粗骨材パックＫＰから砕石を取り出してメインホッパー３０に適量投入し、モルタルパックＭＰから混合材料を取り出してサブホッパー３１に適量投入する。制御装置７０を操作することにより、指示データを手入力し、製造ユニット１を作動させる。
【００７４】
そうすると、製造制御部７１がベルトコンベア４０を駆動し、砕石がミキサー２０に投入される。ロードセル８０の計測値に基づいて計量制御部７３が投入される砕石を計量し、１バッチ分の砕石が投入されると、製造制御部７１がベルトコンベア４０を停止する。
【００７５】
続いて、製造制御部７１がスクリューフィーダ５０を駆動し、混合材料がミキサー２０に投入される。ロードセル８０の計測値に基づいて計量制御部７３が投入される混合材料を計量し、１バッチ分の混合材料が投入されると、製造制御部７１がスクリューフィーダ５０を停止する。なお、砕石と混合材料の投入順序は逆であってもよい。
【００７６】
続いて、製造制御部７１が電磁開閉弁６２を開いてミキサー２０に給水する。流量計６３に基づいて計量制御部７３が給水量を計測し、ミキサー２０に投入されたコンクリート材料に対応した量が給水されると電磁開閉弁６２を閉じる。
【００７７】
その後は、製造制御部７１がミキサー２０を作動させることにより、コンクリートが製造される。製造されたコンクリートは、払出口２６から払い出される。このような現場練り工程Ｓ４を繰り返し行うことにより、必要量のコンクリートを製造する。
【００７８】
使用されるコンクリート材料には、ほとんど水分が含まれていないため、水分管理が容易に行え、水分割合が一定したコンクリートを安定して製造できる。粒度が大きい砕石と別に、粒度の細かい材料を、計量精度の高いスクリューフィーダ５０でまとめて計量しているため、配合割合も安定し、より高品質なコンクリートを製造できる。
【００７９】
しかも、製造ユニット１で計量しながら機械的に製造するので、人為的なミスが排除され、小量の現場練りであっても安定して製造できる。
【００８０】
（製造条件記憶工程）
製造条件記憶工程Ｓ５では、製造条件がバッチ単位で記憶される。具体的には、現場練り工程Ｓ４が行われる度に、混合材料、砕石、及び水の計量データ、バッチ処理が行われた日付データ、ミキサー２０の作動時間や周辺の温度等の製造データなどからなる製造条件のデータが、製造条件記憶部７２に記憶される。
【００８１】
従って、バッチ毎に、コンクリートの品質に影響するデータが記憶されるため、コンクリートの品質保証が行える。
【００８２】
工事現場で、投入するモルタルパックＭＰ及び粗骨材パックＫＰの識別データＳＤを、リーダー等を用いて読み込むことによって制御装置７０に入力し、製造条件のデータを識別データＳＤと関連付けて記憶させてもよい。そうすれば、対応する材料データを特定できるようになるので、より高度な品質保証が行える。
【００８３】
更に、記憶した製造条件のデータは、製造ユニット１からコンピュータシステム１００に送信してもよい（データ通信工程）。具体的には、データ通信部７４を通じて、製造条件のデータを、コンピュータシステム１００に送信し、送信した製造条件のデータを、対応する材料データとともに識別データＳＤに関連付けて記憶する。
【００８４】
そうすれば、高度な品質保証が簡便に行える。製造条件記憶部７２の記憶量の増加を抑制できる点でも有利である。
【００８５】
この製造ユニット１の場合、更に、識別データＳＤを利用して、より簡単にコンクリートを製造することもできる。
【００８６】
すなわち、識別データＳＤと、そのコンクリート材料に対応した指示データとを関連付けしておき、投入前に識別データＳＤを読み込んで制御装置７０に入力させる。そうすれば、指示データを機械的に入力することができるので、手入力する必要が無くなって、簡単かつ確実に制御装置７０を操作できる。
【００８７】
更に、この製造方法では、温度による品質への影響も抑制できるように工夫されている。
【００８８】
すなわち、練り混ぜ時の周辺温度によって適切な給水量が変化することが知られている。そこで、実験等により、温度に応じて最適な給水量を求めることができる給水補正データが作成されていて、その給水補正データが予め制御装置７０に記憶されている。給水量補正部７５は、その給水補正データと温度センサ９０の計測値とに基づいて自動的に給水量を補正する。
【００８９】
従って、練り混ぜ時の周辺温度が変化しても、適切な給水が行えるので、高品質なコンクリートを安定して製造できる。補正された計量データは、製造条件記憶部７２に記憶されるので、その品質も保証することができる。
【００９０】
なお、本発明にかかる現場練り製造方法は、上述した実施形態に限定されず、それ以外の種々の構成をも包含する。
【００９１】
実施形態では、コンクリート材料として、モルタルパックＭＰ及び粗骨材パックＫＰを例に説明したが、コンクリート材料は、セメント、混和材、及び砂の各々を個別に袋詰めしたものやこれら全てを配合して袋詰めしたものであってもよい。
【符号の説明】
【００９２】
１  現場練り製造ユニット
１０  ユニット台
２０  ミキサー
３０  メインホッパー
３１  サブホッパー
４０  ベルトコンベア
５０  スクリューフィーダ
６０  給水装置
７０  制御装置
７１  製造制御部
７２  製造条件記憶部
７３  計量制御部
７４  データ通信部
７５  給水量補正部
８０  ロードセル
１００  コンピュータシステム
Ｓ１  材料作製工程
Ｓ２  製造ユニット設置工程
Ｓ３  材料運搬工程
Ｓ４  現場練り工程
Ｓ５  製造条件記憶工程
Ｓ６  骨材乾燥工程
Ｓ７  識別データ付与工程
ＭＰ  モルタルパック
ＫＰ  粗骨材パック
ＳＤ  識別データ
【図１】
2019188825.tif 000003
【図２】
2019188825.tif 000004
【図３】
2019188825.tif 000005
【図４】
2019188825.tif 000006
【図５】
2019188825.tif 000007
【図６】
2019188825.tif 000008
【図７】
2019188825.tif 000009